(57)【特許請求の範囲】
【請求項１】
遊技盤と透明板との間に形成される遊技領域に発射装置から発射される遊技球を転動させるよう構成されるとともに、前記発射装置へ供給される遊技球を一時貯留する貯留部から遊技球が流出される流出口を前記発射装置によって前記遊技領域へ向けて遊技球が発射される発射位置よりも下方に配置した遊技機に用いられ、前記貯留部の前記流出口から流出する遊技球を前記発射位置へ一個ずつ供給する整流器であって、
前記貯留部の前記流出口から流出する遊技球を前記発射位置まで運び上げる運搬部を備え、
前記運搬部は、
側面に螺旋状の羽根が形成された軸状であり、軸回りに回転可能に支持された回転部材と、
前記回転部材を上方から軸回りに回転駆動する回転駆動部と、
前記回転部材の軸方向に沿って前記羽根と対向配置され、前記貯留部の前記流出口から流出した遊技球を前記羽根に係止された状態で側方から支持し、支持する遊技球が前記回転部材の回転に伴って前記回転部材の軸方向に移動するのを許容するとともに前記回転部材の軸回りに移動するのを阻止する案内部と、を有し、
さらに、
前記流出口から流出した遊技球を始端部から受け入れて終端部まで誘導して前記運搬部の前記回転部材と前記案内部との間に供給可能な誘導通路と、
前記誘導通路の終端部に連続し、前記誘導通路の終端部から流出した場合の遊技球を始端部から受け入れて終端部まで誘導して外部に排出する排出通路と、
前記誘導通路の終端部と前記排出通路の始端部との間を遮断する遮断位置と前記誘導通路の終端部と前記排出通路の始端部とを連通させる連通位置とで切り替わる通断部材と、
前記通断部材を前記遮断位置と前記連通位置とで切り替える切替手段と、
を備えること
を特徴とする整流器。
【請求項２】
請求項１に記載の整流器において、
前記誘導通路の終端部と前記排出通路の始端部との間に段差が形成されていること
を特徴とする整流器。
【発明の詳細な説明】
【技術分野】
【０００１】
本発明は、遊技球を用いる遊技機の技術分野に属する。
【背景技術】
【０００２】
パチンコ機のように遊技球を用いる遊技機においては、遊技球を例えば１個単位で扱うために遊技球の移動（流れ）を通断する遊技球通断装置が用いられる。その代表的な例として、貯留部の流出口からの遊技球を１個ずつ発射装置（発射レール）に供給するための整流器がある。
【０００３】
特許文献１の球送り装置に見られるように、従来の整流器は、遊技球を流入させる受入口と遊技球を排出する排出口とを有するケース内に受入口から排出口への通路を形成し、またこの通路に介在し受入口側から排出口側への遊技球の移動を制御する通断部材もケース内に収容する構造が一般的であった。
【先行技術文献】
【特許文献】
【０００４】
【特許文献１】特開平６−３１２０４５号公報
【発明の概要】
【発明が解決しようとする課題】
【０００５】
従来の遊技機においては貯留部の流出口の位置が発射装置によって遊技球が発射される位置よりも上方にあったため、上述のような従来の整流器で対応可能であった。
しかしながら、例えば遊技盤が従来よりも下方に配置されて貯留部の流出口の位置が発射装置の発射位置よりも下方になった場合や、遊技領域が拡大されて同様に貯留部の流出口の位置が発射装置の発射位置よりも下方になった場合には、上述のような従来の整流器では対応できない。
【０００６】
本発明は、このような課題に鑑みなされたものであり、その目的とするところは、貯留部の流出口の位置が発射装置の発射位置よりも下方になった場合でも対応可能な整流器を提供することにある。
【課題を解決するための手段】
【０００７】
上記課題を解決するためになされた請求項１に係る遊技機の整流器は、遊技盤と透明板との間に形成される遊技領域に発射装置から発射される遊技球を転動させるよう構成されるとともに、前記発射装置へ供給される遊技球を一時貯留する貯留部から遊技球が流出される流出口を前記発射装置によって前記遊技領域へ向けて遊技球が発射される発射位置よりも下方に配置した遊技機に用いられ、前記貯留部の前記流出口から流出する遊技球を前記発射位置へ一個ずつ供給する整流器であって、前記貯留部の前記流出口から流出する遊技球を前記発射位置まで運び上げる運搬部を備え、前記運搬部は、側面に螺旋状の羽根が形成された軸状であり、軸回りに回転可能に支持された回転部材と、前記回転部材を上方から軸回りに回転駆動する回転駆動部と、前記回転部材の軸方向に沿って前記羽根と対向配置され、前記貯留部の前記流出口から流出した遊技球を前記羽根に係止された状態で側方から支持し、支持する遊技球が前記回転部材の回転に伴って前記回転部材の軸方向に移動するのを許容するとともに前記回転部材の軸回りに移動するのを阻止する案内部と、を有し、さらに、前記流出口から流出した遊技球を始端部から受け入れて終端部まで誘導して前記運搬部の前記回転部材と前記案内部との間に供給可能な誘導通路と、前記誘導通路の終端部に連続し、前記誘導通路の終端部から流出した場合の遊技球を始端部から受け入れて終端部まで誘導して外部に排出する排出通路と、前記誘導通路の終端部と前記排出通路の始端部との間を遮断する遮断位置と前記誘導通路の終端部と前記排出通路の始端部とを連通させる連通位置とで切り替わる通断部材と、前記通断部材を前記遮断位置と前記連通位置とで切り替える切替手段と、を備えることを特徴とする。
【０００８】
このように構成された本発明の遊技機の整流器によれば、運搬部が、貯留部の流出口から流出する遊技球を発射位置まで運び上げるようになっているので、貯留部の流出口の位置が発射装置の発射位置よりも下方になった場合でも対応可能となる。
【００１０】
また、このように構成された本発明の遊技機の整流器によれば、簡単な構成で運搬部を実現することができる。
請求項２に係る整流器は、請求項１に記載の整流器において、前記誘導通路の終端部と前記排出通路の始端部との間に段差が形成されていることを特徴とする。
【図面の簡単な説明】
【００１１】
【図１】実施形態のパチンコ機の概略構成図
【図２】実施形態の整流器の概略構成図（外観）
【図３】実施形態の整流器の概略構成図（供給時）
【図４】実施形態の整流器の概略構成図（球抜き時）
【発明を実施するための形態】
【００１２】
以下に本発明の実施形態を図面とともに説明する。なお、本発明は本実施形態に限定されるものではなく、様々な態様にて実施することが可能である。
［１．パチンコ機１００の構成の説明］
図１に示す本実施形態の遊技機としてのパチンコ機１００においては、中枠１０１に保持される遊技盤１０２と窓枠（図示省略）に保持される透明板（図示省略）との間に形成される遊技領域１０３に、遊技者の操作によって発射装置１０４から発射される遊技球を転動させるようになっている。
【００１３】
なお、以下の説明では、パチンコ機１００において、向かって右側を「右側」とし、その反対側を「左側」とし、上部側を「上側」とし、その反対側を「下側」とし、図１の手前側を「前側」とし、その反対側を「後側」とする。
【００１４】
また、本実施形態のパチンコ機１００においては、遊技盤１０２が従来のパチンコ機よりも３０ｍｍ下方に配置されている。これに伴って、発射装置１０４へ供給される遊技球を一時貯留する貯留部１０５から遊技球が流出される流出口１０５ａの位置が、発射装置１０４によって遊技領域へ向けて遊技球が発射される位置である発射位置Ｈよりも下方に配置されている。なお、貯留部１０５の流出口１０５ａから流出する遊技球は、本発明が適用された整流器１によって１個ずつ発射装置１０４に供給される。
【００１５】
なお、パチンコ機１００には、これらの他にさまざまな公知の要素が備えられているが、それらは従来技術に従っているので説明を省略する。
［２．整流器１の構成の説明］
次に、本発明が適用された整流器１について詳細に説明する。
【００１６】
本実施形態の整流器１は、貯留部１０５の流出口１０５ａから流出する遊技球を１個ずつ発射装置１０４に供給する構成である。
すなわち、本実施形態の整流器１は、図３に示すように、箱形状に形成された筐体１０の中に、回転部材２０、モータ３０、通断部材４０、アーム部材５０などを配置した構成を有している。
【００１７】
筐体１０は、その一部が開口する箱形状に形成された筐体本体１１（図３参照）と、筐体本体１１の開口を閉塞可能な蓋１２（図２参照）と、を備え、筐体本体１１と蓋とが合わさった際に略逆Ｔ字形状になるよう形成されている（図２参照）。
【００１８】
また、筐体１０には、受入口１０ａ（図２参照）、排出口１０ｂ（図２参照）、供給口１０ｃ（図３参照）が形成されている。
受入口１０ａは、図２に示すように、略逆Ｔ字形状の蓋１２のほぼ中央に形成された開口であり、貯留部１０５の流出口１０５ａ（図１参照）に連通して、貯留部１０５の流出口１０５ａから流出された遊技球Ｔを誘導通路１０ｄに受け入れるのに用いられる。
【００１９】
排出口１０ｂは、図２に示すように、略逆Ｔ字形状の蓋１２の左端に形成された開口であり、機外に遊技球Ｔを排出するための排出樋（図示省略）の上端部の開口（図示省略）に連通して、排出通路１０ｅから遊技球Ｔを外部の排出樋に誘導するのに用いられる。
【００２０】
供給口１０ｃは、略逆Ｔ字形状の筐体本体１１の底部の上部に形成された開口であり、発射装置１０４によって遊技領域へ向けて遊技球Ｔが発射される発射位置Ｈ（図１参照）の近傍に配置されて、遊技球Ｔを揚球通路１０ｆから外部の発射位置に供給するのに用いられる。
【００２１】
なお、筐体１０の内部には、筐体本体１１側のリブ（図３参照）と蓋１２側のリブ（図示省略）によって誘導通路１０ｄ、排出通路１０ｅ、揚球通路１０ｆ、ガイド１０ｇが形成されている。
【００２２】
誘導通路１０ｄおよび排出通路１０ｅは、受入口１０ａと排出口１０ｂとを接続する筒状の通路であり、受入口１０ａから排出口１０ｂへ向けて傾斜している。なお、誘導通路１０ｄの終端部と排出通路１０ｅの始端部との間には段差が形成されており、後述する通断部材４０の遮断部材４０ｂによって誘導通路１０ｄと排出通路１０ｅとの間を遮断可能になっている。
【００２３】
揚球通路１０ｆは、誘導通路１０ｄの終端部と供給口１０ｃとを接続する筒状の通路である。なお、揚球通路１０ｆの内部には、回転部材２０が配置されている。
回転部材２０は、側面２０ａに螺旋状の羽根２０ｂが形成された軸状であり、揚球通路１０ｆの内部に配置されて、軸回りに回転可能に筐体本体１１に固定されている。
【００２４】
モータ３０は、筐体１０の内部の上部に配置されるとともに筐体本体１１の底部にビスで固定され、出力軸に取り付けられた回転部材２０を回転駆動する。
そして、揚球通路１０ｆの内壁１１ａは、回転部材２０の軸方向に沿って羽根２０ｂと対向配置され、誘導通路１０ｄの終端部に留め置かれた遊技球Ｔを羽根２０ｂに係止された状態で側方から支持し、支持する遊技球Ｔが回転部材２０の回転に伴って回転部材２０の軸方向に移動（上昇）するのを許容するとともに回転部材２０の軸回りに移動するのを阻止する。
【００２５】
ガイド１０ｇは、筐体１０の内部の右端から誘導通路１０ｄ近傍にかけて形成された一対の溝であり、通断部材４０を案内可能となっている。
通断部材４０は、略直方体形状の部材本体４０ａの左側下端部から板状の遮断部材４０ｂが水平方向に延出する形状を有しており、ガイド１０ｇに案内されて左右方向に移動可能である。
【００２６】
アーム部材５０は、一端５１が筐体本体１１および蓋１２の間に回転可能に固定されるとともに、他端５２が通断部材４０に回転可能に固定される棒状部材であり、アーム部材５０の回動に伴って通断部材４０を左右方向に移動させるようになっている。
【００２７】
なお、アーム部材５０には突起５３が形成されており、突起５３は、蓋１２のガイド溝１２ａに挿入されている。そして、アーム部材５０の回動時には、突起５３がガイド溝１２ａによって案内されるようになっている。
【００２８】
本実施形態では、アーム部材５０の回動に伴う通断部材４０の移動については次のように行う。
すなわち、アーム部材５０をばねなどの付勢部材（図示省略）によって向かって反時計回りに回動させ、このアーム部材５０の回動に伴って、通断部材４０が筐体本体１１の内部の壁面１１ｂに当接するまで左方向に移動した際には、遮断部材４０ｂが誘導通路１０ｄと排出通路１０ｅとの間を遮断する（図３参照）。一方、アーム部材５０を一端５１を中心としたモータ（図示省略）による回転駆動によって向かって時計回りに回動させ、このアーム部材５０の回動に伴って、通断部材４０が筐体本体１１の後端の壁面１１ｃに当接するまで右方向に移動した際には、誘導通路１０ｄと排出通路１０ｅとを連通させる（図４参照）。なお、上述の付勢手段やモータについては筐体１０の内部に配置してもよいし、筐体１０の外部に配置してもよい。
【００２９】
なお、回転部材２０、モータ３０および揚球通路１０ｆが特許請求の範囲における運搬部に該当し、モータ３０が特許請求の範囲における回転駆動部に該当し、揚球通路１０ｆの内壁１１ａが特許請求の範囲における案内部に該当する。
【００３０】
［３．整流器１の動作の説明］
次に、整流器１の動作について説明する。
まず、遊技球Ｔを発射装置１０４に供給する場合には、アーム部材５０を向かって反時計回りに回転させることで通断部材４０を左方向に移動させ、遮断部材４０ｂが誘導通路１０ｄと排出通路１０ｅとの間を遮断する状態にする（図３参照）。すると、貯留部１０５の流出口１０５ａから流出した遊技球Ｔは、受入口１０ａから誘導通路１０ｄに入り、誘導通路１０ｄに誘導された後に通断部材４０の遮断部材４０ｂによって誘導通路１０ｄの終端部に留め置かれ、揚球通路１０ｆの内壁１１ａに側面から支持されて回転部材２０の羽根２０ｂに係止される。
【００３１】
続いて、モータ３０の回転駆動によって回転部材２０を回転させる。すると、羽根２０ｂに係止される遊技球Ｔが回転部材２０の回転に伴って揚球通路１０ｆ内を上昇して供給口１０ｃから外部に排出され、発射装置１０４によって遊技領域へ向けて遊技球Ｔが発射される発射位置Ｈにセットされる。
【００３２】
また、遊技球Ｔを機外に排出する場合には、アーム部材５０を反対方向に回転させることで通断部材４０を右方向に移動させ、誘導通路１０ｄと排出通路１０ｅとの間が連通する状態にする（図４参照）。すると、貯留部１０５の流出口１０５ａから流出した遊技球Ｔは、受入口１０ａから誘導通路１０ｄに入り、誘導通路１０ｄおよび排出通路１０ｅに誘導された後に排出口１０ｂから外部（排出樋）に排出され、排出樋から機外に排出される。
【００３３】
［４．実施形態の効果］
（１）このように本実施形態の整流器１によれば、遊技球Ｔを発射装置１０４に供給する場合には、モータ３０の回転駆動によって回転部材２０を回転させると、羽根２０ｂに係止される遊技球Ｔが回転部材２０の回転に伴って揚球通路１０ｆ内を上昇して供給口１０ｃから外部（発射レール）に排出され、発射装置１０４によって遊技領域へ向けて遊技球Ｔが発射される発射位置Ｈにセットされる。つまり、回転部材２０、モータ３０および揚球通路１０ｆから構成される運搬部が、貯留部１０５の流出口１０５ａから流出する遊技球Ｔを発射位置Ｈまで運び上げるようになっている。したがって、貯留部１０５の流出口１０５ａの位置が発射装置１０４の発射位置Ｈよりも下方になった場合でも対応可能となる。
【００３４】
（２）また、本実施形態の整流器１によれば、回転部材２０、モータ３０および揚球通路１０ｆから構成される運搬部を簡単な構成で実現することができる。
【符号の説明】
【００３５】
１…整流器、１０…筐体、１０ａ…受入口、１０ｂ…排出口、１０ｃ…供給口、１０ｄ…誘導通路、１０ｅ…排出通路、１０ｆ…揚球通路、１０ｇ…ガイド、１１…筐体本体、１１ａ…筐体本体の内壁、１１ｂ，１１ｃ…筐体本体の壁面、２０…回転部材、２０ａ…回転部材の側面、２０ｂ…羽根、３０…モータ、４０…通断部材、４０ａ…部材本体、４０ｂ…遮断部材、５０…アーム部材、１００…パチンコ機、１０１…中枠、１０２…遊技盤、１０３…遊技領域、１０４…発射装置、１０５…貯留部、１０５ａ…流出口、Ｈ…発射位置、Ｔ…遊技球
【図１】
0005787546.tif 000002
【図２】
0005787546.tif 000003
【図３】
0005787546.tif 000004
【図４】
0005787546.tif 000005